(57)【要約】【課題】  プレゼンテーションが進行するに従って変化する全体の文脈に応じて関連する情報を自動検索して利用者に提示するとともに、それまでの関連度の変化を表示することで、各関連情報に対しプレゼンテーション進行状況の中で現在表示されているスライドの影響を知ることができる情報推薦システムを提供する。【解決手段】  時系列で取得される複数の説明情報を保持すると共に説明情報の管理を含む説明の進行を説明の変化毎に管理する管理情報を保持するスライド情報保持部１１と、保持された管理情報に基づいて複数の説明情報に基づいて複数の推薦情報を検索する推薦ドキュメント検索部１３と、検索された複数の推薦情報と複数の説明情報との関連度を計算すると共に変化前後の関連度の変化度を計算する関連度計算部１５ａと、計算結果に基づいて複数の推薦情報を表示する表示装置１ｃとを具備することを特徴とする。【選択図】  図１
2008269086.tif 000002
【特許請求の範囲】
【請求項１】
時系列で取得される複数の説明情報を保持すると共に前記説明情報の管理を含む説明の進行を説明の変化毎に管理する管理情報を保持する保持手段と、
前記保持手段で保持された管理情報に基づいて複数の説明情報に基づいて複数の推薦情報を検索する検索手段と、
前記検索手段で検索された複数の推薦情報と前記複数の説明情報との関連度を計算すると共に変化前後の関連度の変化度を計算する計算手段と、
前記計算手段の計算結果に基づいて前記複数の推薦情報を表示する表示手段とを具備することを特徴とする情報推薦装置。
【請求項２】
前記複数の説明情報は、複数のスライド情報であることを特徴とする請求項１記載の情報推薦装置。
【請求項３】
前記表示手段は、前記複数の説明情報を表示画面上の第１の領域にサムネイル画像として表示すると共に、前記複数の推薦情報を表示画面上の第２の領域にサムネイル画像として表示することを特徴とする請求項１記載の情報推薦装置。
【請求項４】
前記表示手段は、前記変化度に応じて推薦情報の表示を変化させることを特徴とする請求項1記載の情報推薦装置。
【請求項５】
逐次表示される説明情報を時系列に取得する取得手段と、
前記取得手段で取得された複数の説明情報を保持すると共に前記説明情報の管理を含む説明の進行を説明の変化毎に管理する管理情報を保持する保持手段と、
前記保持手段で保持された複数の説明情報に基づいて複数の推薦情報を検索する検索手段と、
前記検索手段で検索された複数の推薦情報と前記複数の説明情報との関連度を計算すると共に変化前後の関連度の変化度を計算する計算手段と、
前記計算手段の計算結果に基づいて前記複数の推薦情報を表示する表示手段とを具備することを特徴とする情報推薦システム。
【請求項６】
前記表示手段は、前記変化度に応じて推薦情報の表示を変化させることを特徴とする請求項５記載の情報推薦システム。
【請求項７】
前記取得手段は、前記説明情報を画像フレームとして取得し、前後の画像フレームで変化のある画像フレームを説明情報として取得することを特徴とする請求項５記載の情報推薦システム。
【発明の詳細な説明】
【技術分野】
【０００１】
本発明は、情報推薦装置に関し、特に会議等のプレゼンテーション（説明）における情報推薦装置及び情報推薦システムに関する。
【背景技術】
【０００２】
プレゼンテーションの内容理解のために、表示されたスライドを元に、そのスライドに関連する関連情報を検索するシステムがある。特許文献１に示される会議記録システムでは、会議に必要な情報の入手のために、利用者の指示に従ってもしくは自動的にドキュメントの表示を行うものであり、その中には、プレゼンテーションのスライドから自動的に抽出したテキストから生成された検索式によってドキュメントの検索を行う機能を含んでいる。
【０００３】
また、検索条件の変更による検索結果への影響を利用者に提示するシステムがある。特許文献２の関連語提示装置では、検索式にキーワードを追加する際に、現在の検索結果に含まれる関連語の出現状況がキーワードの追加によってどのように変化するのかをあらかじめ提示することによって、利用者の意図する結果を得るための検索式の作成を支援するものである。
【特許文献１】特開２００１−２５６３３５号
【特許文献２】特開平１０−３３４１０５号
【発明の開示】
【発明が解決しようとする課題】
【０００４】
ところで、特許文献１に開示される会議記録システムでは、プレゼンテーション全体を考慮した関連情報の検索が可能であるが、進行中のプレゼンテーションの場合、表示された検索結果に対して、新たに表示されたプレゼンテーションスライドの影響を知ることができないので、進行中のプレゼンテーションにおける現在表示中のプレゼンテーションスライドの内容に興味を持つ利用者には、検索結果のうち自身の望む情報がどれに当たるのか判別できないという問題がある。
【０００５】
また、特許文献２に開示される関連語提示装置では、検索結果全体の傾向の変化を、関連度の増加・減少する単語リストの表示を表すものであり、検索結果の内容の個別ごとの変化を示すものではないので、各検索結果が検索条件の変更によってどのように変化したのかを知ることはできない。
【０００６】
本発明はこのような事情に鑑みてなされたものであり、プレゼンテーションが進行するに従って変化する全体の文脈に応じて関連する情報を自動検索して利用者に提示するとともに、それまでの関連度の変化を表示することによって、各関連情報に対しプレゼンテーション進行状況の中で現在表示されているスライドの影響を知ることができる情報推薦装置及び情報推薦システムを提供することを目的とする。
【課題を解決するための手段】
【０００７】
前記課題を解決するために、本発明の第1の態様の情報推薦装置は、時系列で取得される複数の説明情報を保持すると共に説明情報の管理を含む説明の進行を説明の変化毎に管理する管理情報を保持する保持手段と、保持手段で保持された管理情報に基づいて複数の説明情報に基づいて複数の推薦情報を検索する検索手段と、検索手段で検索された複数の推薦情報と複数の説明情報との関連度を計算すると共に変化前後の関連度の変化度を計算する計算手段と、計算手段の計算結果に基づいて複数の推薦情報を表示する表示手段とを具備することを特徴とするものである。
【０００８】
本発明の第２の態様の情報推薦装置は、第１の態様において、複数の説明情報は、複数のスライド情報であることを特徴とするものである。
【０００９】
本発明の第３の態様の情報推薦装置は、第１の態様の表示手段が、複数の説明情報を表示画面上の第１の領域にサムネイル画像として表示すると共に、複数の推薦情報を表示画面上の第２の領域にサムネイル画像として表示することを特徴とするものである。
【００１０】
本発明の第４の態様の情報推薦装置は、第１の態様の表示手段が、変化度に応じて推薦情報の表示を変化させることを特徴とするものである。
【００１１】
本発明の第５の態様の情報推薦システムは、逐次表示される説明情報を時系列に取得する取得手段と、取得手段で取得された複数の説明情報を保持すると共に説明情報の管理を含む説明の進行を説明の変化毎に管理する管理情報を保持する保持手段と、保持手段で保持された複数の説明情報に基づいて複数の推薦情報を検索する検索手段と、検索手段で検索された複数の推薦情報と複数の説明情報との関連度を計算すると共に変化前後の関連度の変化度を計算する計算手段と、計算手段の計算結果に基づいて複数の推薦情報を表示する表示手段とを具備することを特徴とするものである。
【００１２】
本発明の第６の態様の情報推薦システムは、第５の態様の表示手段が、変化度に応じて推薦情報の表示を変化させることを特徴とするものである。
【００１３】
本発明の第７の態様の情報推薦システムは、第５の態様の取得手段が、説明情報を画像フレームとして取得し、前後の画像フレームで変化のある画像フレームを説明情報として取得することを特徴とするものである。
【発明の効果】
【００１４】
本発明の第１の態様によれば、説明全体（プレゼンテーション全体）の文脈に関連する情報を利用者に推薦すると共に、プレゼンテーションの進行に合わせて追加された説明情報による推薦情報の影響度の変化を表示することにより、プレゼンテーション全体の文脈での現在の説明情報、例えばスライドに関連度の高い情報へのアクセスを容易にすることができる。
【発明を実施するための最良の形態】
【００１５】
以下、本発明の最良の実施形態について図面を参照して説明する。
本発明の実施形態に係る情報推薦システムは、例えばプレゼンテーション用アプリケーションソフトウェア（以下、単にプレゼン用ソフトという。）で表示されているスライドの内容に関連する情報を自動的に検索し、利用者に表示するシステムである。
【００１６】
図１は、本発明の実施形態に係る情報推薦システムの構成例を示す図である。
本実施形態に係る情報推薦システムは、図１に示すように、会議情報記録装置１ａ、情報推薦装置１ｂ及び表示装置1ｃを含む。
【００１７】
会議情報記録装置1ａは、会議で使用されるスライドなどの会議情報を取得して記録するスライド取得部１０を含む。会議情報記録装置１ａとしては、例えば特開２００６−１２７５１８号公報に開示されるメディアシステム等がある。
情報推薦装置１ｂは、スライド情報保持部１１、検索式生成部１２、推薦ドキュメント検索部１３、ドキュメントデータベース（ＤＢ）部１４及び関連度計算部１５ａを含む関連度保持部１５を含む。
表示装置１ｃは、スライド関連情報表示部１６を含む。
【００１８】
図２は、情報推薦装置のハードウェア構成例を示す図である。
情報推薦装置１ｂは、入力装置４０（図１では表示せず）、表示装置４２（図１の表示装置１ｃに対応）、主記憶装置４４、外部記憶装置４６、中央処理装置（ＣＰＵ）４８、これらを接続するバス５０を含んでいる。
【００１９】
入力装置４０は、キーボード、マウス等の指示装置などのユーザインターフェースを提供する。
表示装置４２は、例えば、表示画面に情報を表示する場合、入力装置４０と共にＧＵＩ（グラフィックユーザインターフェース）を構成し、推薦のテキスト文を表示したり、処理結果等を表示したりする可視表示装置を含む。その他に、可聴表示するためのスピーカや、永久可視表示（例えばシートに印刷）するためのプリンタを含んでも良い。
【００２０】
主記憶装置４４は、ＲＯＭまたはＲＡＭを含み、情報推薦等を制御するためのプログラムや演算結果等のデータを記憶する。
外部記憶装置４６は、例えばハードディスク等の大容量記憶装置を含み、ここに、ドキュメントＤＢ部１４、スライド情報保持部１１のスライド情報及び関連度保持部１５の関連度スコアのリストなどを格納するようにしてもよい。尚、当該リストについては後述する。
ＣＰＵ（Central Processing Unit）４８は、主記憶装置４４に記憶されたプログラムに従い情報推薦動作を制御する。
【００２１】
会議情報記録装置１ａについては特に詳細図を示していないが、例えば、パーソナルコンピュータ（ＰＣ）に搭載されたプレゼン用ソフトを起動し、ＰＣの操作により当該プレゼン用ソフトによるスライドを切り替えてプレゼンテーション（説明）が進行する場合を想定する。
【００２２】
ＰＣにはプロジェクタが接続され、ＰＣの表示出力（例えばＲＧＢ出力）によってスクリーンにスライドが投影される。会議情報記録装置１ａは、この際、ＰＣの表示出力を取込んでスライドを記録するものとする。スライドは静止画なので、スライドを連続して取り込む場合、前後のフレームで変化のあったものを記録することにより、効率の良い記録が可能となる。
【００２３】
取り込まれたスライド（イメージ）情報は光学式文字読取装置（ＯＣＲ）などにより、テキストなどのオブジェクト（情報の構成要素）が分離されると共に記録日時などのメタ情報やサムネイル画像が作成される。また、ＰＣの表示出力から取り込まないで、ＰＣ内にある元（オリジナル）のスライド情報を取り込むようにしてもよい。この場合、ＯＣＲ処理をすることなく、テキスト情報等が得られる。
【００２４】
会議における説明者がＰＣに搭載されたプレゼン用ソフトを操作すると、ＰＣを通じてプロジェクタなどで表示されたスライドは、会議情報記録装置１ａのスライド情報取得部１０によってイメージ情報・テキスト情報が取得され、スライド情報保持部１１へ送られる。このときの１枚目及び２枚目のスライド情報例を図３に示す。スライド情報は、図３に示すように、ＨＴＭＬ形式で記述され、ファイル名、ファイルの格納アドレスを示すファイルＵＲＬ、ファイル作成日、ファイルの記録日時を示すタイムスタンプ、頁Ｎｏ、サムネイル画像の格納アドレスを示すサムネイルＵＲＬ及び表示内容に対応した本文の記述、即ちタイトル名、日付、発表者名等がなされている。
【００２５】
スライド情報保持部１１では、各スライドの情報（内容テキスト、サムネイル画像、表示日時、など）が保持される。
検索式生成部１２では、それまでにプレゼンテーションで表示されたスライドの内容テキストすべてに基づいて検索式を生成する。検索式の生成は、例えば、それまでに表示されたスライドの内容テキスト全てを形態素解析処理により単語に分割し、各単語の出現頻度を計算し、頻度の上位語やある一定数以上の頻度を持つ単語、また特定の品詞の単語を抽出し、キーワードとすることによって行う。また、あらかじめ指定された単語辞書に含まれている単語を抽出することも可能である。
【００２６】
推薦ドキュメント検索部１３では、検索式生成部１２で生成された検索式を用いてドキュメントデータベース（ＤＢ）部１４を検索し、推薦情報ＩＤを特定する。その際、各推薦情報ＩＤには検索式に対する関連度が計算され付与される。これにより、出現頻度の高い単語等に対して関連性の高い推薦情報ＩＤが特定される。
関連度保持部１５の関連度計算部１５ａでは、推薦ドキュメント検索部１３で特定された推薦情報ＩＤそれぞれについて、スライド情報保持部１１が保持する各スライド情報との関連度が計算され、関連度によってスライド情報との関連付けがなされる。
【００２７】
表示装置１ｃのスライド関連情報表示部１６では、スライド情報保持部１１が保持するスライド情報および本発明の管理情報に相当するプレゼンテーション進行情報により特定されるプレゼンテーションの進行との関連度が計算される。スライド関連情報表示部１６では、スライド情報保持部１１が持つスライド情報と、関連度保持部１５が持つ関連度情報に基づき、推薦情報をスライド関連情報表示部１６の例えば表示画面上に表示すると共に変化度に対応した表示を行う。
【００２８】
図４はプレゼンテーションの表示スライドおよび推薦情報の表示例である。
本発明の第１の領域に相当する左側のフレームには、プレゼンテーションの進行にしたがって表示された、本発明の説明情報に相当する、スライドのサムネイル画像（以下、表示スライドという。）が表示順に並べられる。本発明の第２の領域に相当する右側のフレームには、現在までに表示されたスライド全体を元に、検索された関連情報（ドキュメント、スライド）のサムネイル画像が例えば関連度スコアの高い順に左上から横方向優先で並べられる。
【００２９】
図５および図６は、図４の状態のスライド情報およびプレゼンテーション進行情報の格納例である。
前者には、図５に示すように、スライドＩＤ（１、２、３）毎にスライドの記録日時を示すタイムスタンプ、スライドのタイトル（スライドタイトル）、スライドのテキスト情報Ｔｎ（スライドテキスト）が格納される。後者は、図６に示すように、プレゼンテーションの進行を識別するプレゼン進行識別子（図６においてプレゼン進行（Ｐｎ）と示す。）（１、２、３）毎に当該進行時の記録日時を示すタイムスタンプ及び表示されたスライドＩＤのリストを示すスライドＩＤリスト（Ｌｎ）が格納される。
【００３０】
また、図７は、プレゼンテーションの進行に応じたスライド全体と各推薦情報との関連度の表を示す図であり、推薦情報ＩＤ毎に、推薦情報タイトル、プレゼン進行識別子（図７においてプレゼン進行と示す。）、スライド全体との関連度を示す関連度スコア（Ｒ）及び変化度などが格納される。
【００３１】
図８はプレゼンテーションが進行して、表示スライドＳ４がひとつ追加されたときの関連情報の表示例である。
右側のフレームには、追加されたスライドＳ４を含むスライド全体Ｓ１からＳ４までを元に、検索された関連情報がサムネイル画像として表示される。同図に示すように、スライドが追加される前と後との関連度の変化に従って、関連情報のサムネイル画像が区別されて推薦情報として表示される。例えば、関連情報として新規に検索されたドキュメントは、二重枠で囲われ、関連度スコアが上昇したドキュメントは太枠で囲われ、関連度スコアが下降したドキュメントは破線で囲われる。
【００３２】
図９および図１０は、図８の状態のスライド情報およびプレゼンテーション進行情報の格納例である。図９及び図１０の格納例は、図５及び図６に対し、それぞれスライドＩＤ４、プレゼン進行識別子４に関連する情報が追加して格納されている。即ち、表示スライドとしてスライドの４枚目が表示された状態の場合が追加されている。
【００３３】
また、図１１は、図８の状態のプレゼンテーションの進行に応じたスライド全体と各推薦情報との関連度の表を示す図である。同図は、図７に対し、プレゼン識別子４に関するスライド全体と各推薦情報との関連度を追加すると共にプレゼン識別子３の状態に対する変化度の欄が記述されており、例えば、推薦情報ＩＤ８はスコアが７７から８６に９ポイント上昇したので、変化度＋９と表示され、推薦情報ＩＤ１２はプレゼン識別子３の時には、推薦されていないので、変化度はｎｕｌｌと記述される。
【００３４】
プレゼンテーションが進行し、スライドが追加されたときの更新処理のフローチャートを図１２に示す。
情報推薦システムは、スライド情報保持部１１より最新のプレゼン進行識別子Ｐｎ（ｎは自然数）を受け取り、Ｐｎに対応するスライドＩＤリストＬｎ（ｎは自然数）を得る（ステップＳ１、Ｓ２）。スライドＩＤリストＬｎに含まれるスライドＩＤのスライドテキストＴｎ（ｎは自然数）を得た後に、スライドテキストＴｎを元に検索式を生成し、推薦ドキュメント検索部１３より推薦情報ＩＤと関連度スコアを高い順に保持するリストＬｒとを受け取る。さらに、リストＬｒの先頭要素の関連度スコアＲを取得し、関連度スコア表（図１１）に関連度スコアとして登録する（ステップＳ５、Ｓ６、Ｓ７）。以前のプレゼン進行識別子に関連度スコアＲがある場合には、関連度スコアＲの差分を変化度として登録し、その後、リストＬｒから当該関連度スコアＲを削除する（ステップＳ８、Ｓ９、Ｓ１０）。
【００３５】
推薦情報の内容が変わらない列は各スライドとの関連度はそのまま維持され、追加した新規のスライドとの関連度及び新規のスライドの関連度を含めた全体の関連度、例えば、各推薦情報に対応する各スライドの関連度の平均値が計算され更新される。
【００３６】
図１３に表示処理のフローチャートを示す。
情報推薦システムは、プレゼンテーション進行情報テーブルよりプレゼンテーション進行識別子Ｐｎにより特定されたスライドＩＤリストＬｎを得て、スライドＩＤリストＬｎに含まれるスライドＩＤＳｉ（ｉは自然数）を表示する（ステップＳ１１、Ｓ１２）。
【００３７】
情報推薦システムは、関連度スコアテーブルよりプレゼン進行情報識別子Ｐｎにより特定された推薦情報リストＬｒを得た後、Ｌｒの先頭要素を関連度スコアＲとし、関連度スコアＲの変化度がｎｕｌｌであれば、新規に推薦情報を表示する（ステップＳ１３乃至Ｓ１７）。関連度スコアＲの変化度がｎｕｌｌでなく０以上であれば、推薦情報の関連度上昇表示をする（ステップＳ１９、Ｓ２０）。関連度スコアＲが０未満であれば、推薦情報の関連度下降表示をする（ステップＳ１９、Ｓ２１）。ステップＳ１７、Ｓ２０、Ｓ２１のいずれかの表示処理が終了すれば、リストＬｒから関連度スコアＲを削除する（ステップＳ１８）。
【００３８】
図１４から図１６に関連度の変化度を表現するための異なる表示例を示す。
関連度の変化の度合いを、様々な属性で表現することができる。例えば、変化の度合いに応じて、関連情報のサムネイル画像の大きさを変える（図１４）、関連度の上昇・下降を矢印と色で表現する（図１５）、さらに関連度の上昇・下降の幅を矢印の長さで表す（図１６）などがある。
【００３９】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４０】
以上説明したように、本発明によれば、説明全体（プレゼンテーション全体）の文脈に関連する情報を利用者に推薦すると共に、プレゼンテーションの進行に合わせて追加された説明情報による推薦情報の影響度の変化を表示することにより、プレゼンテーション全体の文脈での現在の説明情報に関連度の高い情報へのアクセスを容易にすることができるため、産業上の利用可能性が高い。
【図面の簡単な説明】
【００４１】
【図１】本発明の実施形態に係る情報推薦システムの機能ブロック図である。
【図２】本発明の実施形態に係る情報推薦装置を実行するハードウェア構成を示す図である。
【図３】スライド情報のデータ構造例を示す図である。
【図４】表示スライドと関連情報の表示例を示す図である。
【図５】スライド情報の格納例を示す図である。
【図６】プレゼンテーション進行情報の格納例を示す図である。
【図７】プレゼンテーションの進行に応じたスライド全体と各推薦情報との関連度の表を示す図である。
【図８】表示スライドがひとつ追加されたときの推薦情報の表示例を示す図である。
【図９】図８の状態のスライド情報の格納例である。
【図１０】図８の状態のおよびプレゼンテーション進行情報の格納例である。
【図１１】図８の状態のスライド全体と各推薦情報との関連度の表を示す図である。
【図１２】スライドが追加されたときの更新処理のフローチャートである。
【図１３】表示処理のフローチャートである。
【図１４】関連度の変化度を表現するための第２の例を示す図である。
【図１５】関連度の変化度を表現するための第３の例を示す図である。
【図１６】関連度の変化度を表現するための第４の例を示す図である。
【符号の説明】
【００４２】
１ａ：会議情報記録装置                １ｂ：情報推薦装置
１ｃ：表示装置
１０：スライド情報取得部              １１：スライド情報保持部
１２：検索式生成部                    １３：推薦ドキュメント検索部
１４：ドキュメントＤＢ部              １５：関連度保持部
１５ａ：関連度計算部                  １６：スライド関連情報表示部
４０：入力装置                        ４２：表示装置
４４：主記憶装置                      ４６：外部記憶装置
４８：ＣＰＵ                          ５０：バス
【図１】
2008269086.tif 000003
【図２】
2008269086.tif 000004
【図３】
2008269086.tif 000005
【図４】
2008269086.tif 000006
【図５】
2008269086.tif 000007
【図６】
2008269086.tif 000008
【図７】
2008269086.tif 000009
【図８】
2008269086.tif 000010
【図９】
2008269086.tif 000011
【図１０】
2008269086.tif 000012
【図１１】
2008269086.tif 000013
【図１２】
2008269086.tif 000014
【図１３】
2008269086.tif 000015
【図１４】
2008269086.tif 000016
【図１５】
2008269086.tif 000017
【図１６】
2008269086.tif 000018